(57)【特許請求の範囲】
【請求項１】
平らな面に置かれたり、あるいは壁面に固定されたりするベース部と、
前記ベース部にその一端部が結合されている第１棒部材と、
その一端部に照明部が具備されている第２棒部材と、
前記第１棒部材の他端部と、前記第２棒部材の他端部とを相互連結する中間連結部と、を含んで構成された照明装置であって、
前記中間連結部は、
前記第１棒部材の他端部に固定された第１フレームと、
前記第２棒部材の他端部に固定され、前記第１フレームと対応する形状であり、前記第１フレームに対して回動が可能になるように、前記第１フレームと結合される第２フレームと、
前記第１フレーム及び第２フレームのうちいずれか一つに具備され、円弧に沿って延長されて貫通形成された少なくとも一つのガイド長孔と、
前記第１フレーム及び第２フレームのうち残りの一つに固定され、前記ガイド長孔に沿って移動自在に固定されたガイドピン部と、
前記第１フレーム及び第２フレームが互いに対面する面のうちいずれか一面に具備され、他の一つのフレームを弾性的に支持する弾性支持部と、
前記第１フレーム及び第２フレームのうち残りの一つに具備され、前記第１フレーム及び第２フレームが相対移動する場合、前記弾性支持部が移動する円弧状の移動軌跡に沿って突設され、その突出高が円弧に沿ってだんだんと高くなるか、あるいはだんだんと低くなるように形成された傾斜面を有するように形成された傾斜部と、を具備し、
前記弾性支持部は、凹状の溝部と、その溝部に具備された弾性部材と、その弾性部材によって弾性支持されるボール部材と、を含んで構成されたことを特徴とする照明装置。
【請求項２】
前記第１フレーム及び第２フレームのそれぞれは、その全体的な形状が実質的にリング状であることを特徴とする請求項１に記載の照明装置。
【請求項３】
前記ガイド長孔は、前記第１フレーム及び第２フレームのうちいずれか一つに、２個以上が相互離隔されるように形成され、
前記ガイドピン部は、前記第１フレーム及び第２フレームのうち残りの一つに固定され、前記各ガイド長孔に一つずつ対応するように固定されたことを特徴とする請求項２に記載の照明装置。
【請求項４】
前記各ガイド長孔の長さは、そのガイド長孔に対応する円弧の中心角の大きさが６０°以下になるように形成され、前記第１フレーム及び第２フレームの互いに対する回動が６０°以下に制限されるように構成されたことを特徴とする請求項３に記載の照明装置。
【請求項５】
前記ガイドピン部の一端部は、前記第１フレーム及び第２フレームのうち残りの一つに固定され、
前記ガイドピン部の他端部は、前記ガイド長孔の幅より広い大きさを有し、
前記ガイドピン部の一端部と他端部とを連結する本体部は、前記ガイド長孔を貫くように構成されたことを特徴とする請求項１に記載の照明装置。
【請求項６】
前記ガイドピン部には、前記本体部の外側面にベアリング部材がさらに具備され、そのベアリング部材が、前記ガイド長孔の内側面と接触するように構成されたことを特徴とする請求項５に記載の照明装置。
【請求項７】
前記第２棒部材と前記第１棒部材とがなす角度が小さくなるように、前記第２フレームが前記第１フレームに対して回転するにつれ、前記傾斜部の傾斜面は、だんだんと高さが高くなるように形成され、前記弾性支持部をさらに圧迫するように構成されたことを特徴とする請求項１に記載の照明装置。
【請求項８】
前記第１フレーム及び第２フレームは、それぞれ垂直方向に具備され、
前記第１フレーム及び第２フレームの外側には、その第１フレーム及び第２フレームを全体的に覆い包むケース部がさらに具備されたことを特徴とする請求項１に記載の照明装置。
【発明の詳細な説明】
【技術分野】
【０００１】
本発明は、照明装置に係り、さらに詳細には、中間連結部の構造を改善することにより、ユーザが、一層便利であってソフトに、照明部の位置を変更することが可能な照明装置に関する。
【背景技術】
【０００２】
照明装置は、一般的に、蛍光灯、白熱灯、発光ダイオード（ＬＥＤ）電球など、多様な光源を含み、その具体的な形態は、多様である。
【０００３】
かような照明装置のうち、天井灯のような照明装置は、住宅や事務室の天井に設置されて広い範囲を照明する装置であり、スタンドのような照明装置は、必要によって相対的に狭い範囲を照明するために使われる照明装置である。
【０００４】
特に、スタンドのような照明装置は、机や床に載せられて使われたり、あるいは壁体にベース部が固定されて使われたりする。かような照明装置は、ユーザが本を読んだり、あるいはある必要によって制限的な空間の照明が必要なとき、必要な部分を必要な照度でもって照明することが可能なように、光源を含んだ照明部の移動が可能であるという長所のため多用されている。
【０００５】
かようなスタンドのような照明装置は、一般的に、ベース部と、ベース部に連結された棒部材と、かような棒部材の端部に連結されて光を発光する光源が具備された照明部と、から構成される。
【０００６】
また、本発明の対象になる照明装置の場合、照明部を、所望する位置に移動することがさらに容易に行われるように、棒部材が、第１棒部材と第２棒部材とから構成される。第１棒部材及び第２棒部材の相互間を連結する部分には、関節のような動きが可能な中間連結部が具備される。
【０００７】
しかし、従来の中間連結部を含んだ照明装置は、中間連結部の構造上の限界により、第２棒部材の第１棒部材に対する相対的な動きが満足すべきものではなく、ユーザが照明部を所望する位置に変更することが便利に行われ難かったり、あるいはそれが不可能であるという問題があった。
【発明の概要】
【発明が解決しようとする課題】
【０００８】
本発明は、前述の従来の中間連結部を含んだ照明装置が有する問題点を解決するために提案されたものであり、第２棒部材の第１棒部材に対する動作がさらに容易であって便利であり、かつ小さい力でもソフトに行われることが可能な照明装置を提供するところにその目的がある。
【課題を解決するための手段】
【０００９】
前述のような目的を達成するために、本発明は、平らな面に置かれたり、あるいは壁面に固定されたりすることが可能なベース部と、前記ベース部に、その一端部が結合されている第１棒部材と、その一端部に照明部が具備されている第２棒部材と、前記第１棒部材の他端部と、前記第２棒部材の他端部とを相互連結する中間連結部と、を含んで構成された照明装置であって、前記中間連結部は、前記第１棒部材の他端部に固定された第１フレームと、前記第２棒部材の他端部に固定され、前記第１フレームと対応する形状であり、前記第１フレームに対して回動が可能になるように、前記第１フレームと結合される第２フレームと、前記第１フレーム及び第２フレームのうちいずれか一つに具備され、円弧に沿って延長されて貫通形成された少なくとも一つのガイド長孔と、前記第１フレーム及び第２フレームのうち残りの一つに固定され、前記ガイド長孔に沿って移動自在に固定されたガイドピン部と、前記第１フレーム及び第２フレームが互いに対面する面のうちいずれか一面に具備され、他の一つのフレームを弾性的に支持する弾性支持部と、前記第１フレーム及び第２フレームのうち残りの一つに具備され、前記第１フレーム及び第２フレームが相対移動する場合、前記弾性支持部が移動する円弧状の移動軌跡に沿って突設され、その突出高が円弧に沿ってだんだんと高くなるか、あるいはだんだんと低くなるように形成された傾斜面を有するように形成された傾斜部と、を具備し、前記弾性支持部は、凹状の溝部と、その溝部に具備された弾性部材と、その弾性部材によって弾性支持されるボール部材と、を含んで構成されたことを特徴とする。
【００１０】
前記第１フレーム及び第２フレームのそれぞれは、その全体的な形状が実質的にリング状であることが望ましい。
【００１１】
そして、前記ガイド長孔は、前記第１フレーム及び第２フレームのうちいずれか一つに、２個以上が相互離隔されるように形成され、前記ガイドピン部は、前記第１フレーム及び第２フレームのうち残りの一つに固定され、前記各ガイド長孔に一つずつ対応するように固定されたことが望ましい。
【００１２】
前記各ガイド長孔の長さは、そのガイド長孔に対応する円弧の中心角の大きさが６０°以下になるように形成され、前記第１フレーム及び第２フレームの互いに対する回動が６０°以下に制限されるように構成されたことが望ましい。
【００１３】
前記ガイドピン部の一端部は、前記第１フレーム及び第２フレームのうち残りの一つに固定され、前記ガイドピン部の他端部は、前記ガイド長孔の幅より広い大きさを有し、前記ガイドピン部の一端部と他端部とを連結する本体部は、前記ガイド長孔を貫くように構成されたことが望ましい。
【００１４】
そして、前記ガイドピン部には、前記本体部の外側面にベアリング部材がさらに具備され、そのベアリング部材が、前記ガイド長孔の内側面と接触するように構成されたことが望ましい。
【００１７】
前記第２棒部材と前記第１棒部材とがなす角度が小さくなるように、前記第２フレームが前記第１フレームに対して回転するにつれ、前記傾斜部の傾斜面は、だんだんと高さが高くなるように形成され、前記弾性支持部をさらに圧迫するように構成されたことが望ましい。
【００１８】
前記第１フレーム及び第２フレームは、それぞれ垂直方向に具備され、前記第１フレーム及び第２フレームの外側には、その第１フレーム及び第２フレームを全体的に覆い包むケース部がさらに具備されたことが望ましい。
【発明の効果】
【００１９】
本発明の照明装置によれば、ユーザが照明部の姿勢または位置を変更するための中間連結部の動作が、少ない力でもソフトに行われるという効果を得ることができる。
【図面の簡単な説明】
【００２０】
【図１】本発明の一実施形態による照明装置の斜視図である。
【図２】図１の照明装置の概略的な部分分解斜視図である。
【図３】図１の中間連結部の概略的な分解斜視図である。
【図４】図３の第１フレームと第２フレームとが結合された状態の概略的斜視図である。
【図５】図４の第１フレームと第２フレームとの概略的分解斜視図である。
【図６】図４のVI−VI線による概略的断面図である。
【図７】図４のVII−VII線による概略的断面図である。
【図８】図４のＶ−ＶIII線による概念的断面図である。
【図９】図５に図示された中間連結部に、ガイド長孔及びガイドピン部が一つずつさらに具備された変形された実施形態を示す図面である。
【発明を実施するための形態】
【００２１】
以下、添付された図面を参照し、本発明の実施形態についてさらに詳細に説明する。
【００２２】
図１は、本発明による一実施形態の照明装置が、部分分解斜視図として例示された図面であり、図２は、図１の照明装置の概略的な部分分解斜視図、図３は、図１の中間連結部の分解斜視図、図４は、第１フレーム及び第２フレームの結合された状態の斜視図である。
【００２３】
本発明の照明装置は、主に机に載せて使用する、いわゆるスタンドとして実施されるが、それに限定されるものではなく、中間連結部の構成を採用した状態で、多様な変形が可能である。すなわち、ベース部を壁体に固定させて使用する照明装置として実施することも可能である。
【００２４】
図１に例示された本実施形態の照明装置１は、机やテーブルに置かれて主に使用されるスタンド用照明装置であり、ベース部１０、第１棒部材２０、第２棒部材３０、照明部４０及び中間連結部５０を含んで構成される。
【００２５】
前記ベース部１０は、机の底面に置かれて使用され、照明装置を構成する残りの構成が結合されて支持される部分である。ベース部１０は、他の構成の動作の時、安定感を与えるために重く設けられもする。他の実施形態の場合、ベース部は、壁体に固定されて使用され、底面に置かれても使用されもする。
【００２６】
本実施形態の場合、ベース部１０は、相互結合された上部ケース１０２と下部ケース１０４とを含む。上部ケース１０２は、下部ケース１０４に分離可能に結合される。
【００２７】
前記第１棒部材２０は、ベース部１０に、その一端部２２である下端部が結合されており、他端部２４である上端部は、中間連結部５０に結合されている。第１棒部材２０は、薄く、長手方向に長い形状の部材であり、中空のパイプ状でもあり、横断面が円形であったり多角形であったりする棒部材でもある。
【００２８】
前記第２棒部材３０は、その一端部３２に照明部４０が具備されている。第２棒部材３０も、第１棒部材と同様に、薄く、長手方向に長い形状の部材であり、中空のパイプ状でもあり、横断面が円形であったり多角形であったりする棒部材でもある。
【００２９】
前記中間連結部５０は、第１棒部材２０の他端部２４と、第２棒部材３０の他端部３４とを相互連結する。中間連結部５０は、第２棒部材３０が第１棒部材２０に対して相対運動を行いながら、所望の位置に支持されるようにする役割を担う。
【００３０】
かような中間連結部５０は、第１フレーム５２、第２フレーム５４、ガイド長孔５６及びガイドピン部５８を含んで構成される。
【００３１】
前記第１フレーム５２は、第１棒部材２０の他端部２４に固定される。第１フレーム５２の一側には、第１棒部材２０に挿入されて固定される第１フレーム支持軸５２２が具備されている。第１フレーム支持軸５２２は、ねじ５２３により、第１フレーム５２の一側に固定される。
【００３２】
前記第２フレーム５４は、第２棒部材３０の他端部３４に固定される。第２フレーム５４は、第１フレーム５２に対応する形状であり、第１フレーム５２に対して回動自在に第１フレーム５２に結合される。
【００３３】
第２フレーム５４の一側には、第２棒部材３０に挿入されて固定される第２フレーム支持軸５４２が具備されている。第２フレーム支持軸５４２は、ねじ５４３により、第２フレーム５４の一側に固定される。
【００３４】
本実施形態の場合、第１フレーム５２及び第２フレーム５４は、その全体的な形状が実質的にリング状である。実質的にリング状という意味は、数学的に、あるいは辞典的にリング状という定義に必ずしも合わなければならないものではなく、ドーナツ状や、中が空いている円板状のような形状を意味する。
【００３５】
また、本実施形態の場合、第１フレーム５２及び第２フレーム５４は、それぞれ垂直方向に具備される。また、第１フレーム５２及び第２フレーム５４の外側には、その第１フレーム５２及び第２フレーム５４を全体的に覆い包むケース部７０がさらに具備されている。ケース部７０は、第１フレーム５２及び第２フレーム５４にそれぞれ接する第２ケース部７４と第１ケース部７２とから構成されている。
【００３６】
一方、他の実施形態の場合、第１フレーム及び第２フレームは、相互相対円運動さえ行うのであるならば、リングの代わりに円板状でもある。また、第１フレームは、その全体的な形状が円ではなく、四角板状でもある。そのときにも、ガイド長孔は、多数が円周に沿って相互離隔されて形成されている。
【００３７】
前記ガイド長孔５６は、第２フレーム５４に具備される。ガイド長孔５６は、第２フレーム５４の円周上の円弧に沿って貫通された部分が延長されて形成される。ガイド長孔５６は、本実施形態の場合、全３個が具備されている。
【００３８】
各ガイド長孔５６の長さは、そのガイド長孔に対応する円弧の中心角の大きさが６０°以下になるように形成され、第１フレーム５２及び第２フレーム５４の互いに対する回動が６０°以下に制限されるように構成される。
【００３９】
一方、本実施形態の場合、第２フレーム５４に固定された第２棒部材３０は、第１フレーム５２に固定された第１棒部材２０に対して、第１棒部材２０が垂直であり、第２棒部材３０は、水平であるということを仮定したとき、第２棒部材３０は、上に２５°、下に３０°の範囲で回転移動自在に設定されている。実施形態により、かような回転移動可能な範囲角度は、必要によってさらに小さかったり、あるいはさらに大きかったりするように変形される。
【００４０】
なお、他の実施形態の場合、ガイド長孔それぞれの長さと、具備された個数は、必要によって加減が可能である。また、ガイド長孔が第１フレームに形成され、ガイドピン部が第２フレームに形成されもする。
【００４１】
前記ガイドピン部５８は、第１フレーム５２に固定されるが、ガイド長孔５６に沿って移動自在に固定される。ガイドピン部５８は、本実施形態の場合、ガイド長孔５６の個数に対応するように、全３個が具備される。
【００４２】
一方、図９に、ガイド長孔及びガイドピン部がそれぞれ４個ずつ具備されるように変形された中間連結部５０ａが例示されている。前述の実施形態と比較すれば、１つのガイド長孔５６ａと、それに対応する１つのガイドピン部５８ａとがさらに具備されている。かような実施形態は、第１フレーム及び第２フレームが相互にさらに堅固に結合可能であるというさらなる効果がある。
【００４３】
本実施形態の場合、ガイドピン部５８は、ねじ部５８１、ワッシャ５８２、ピン部５８４、及びベアリング部材５８７を含む。
【００４４】
前記ねじ部５８１の頭部は、ガイドピン部５８の一端部を構成し、第１フレーム５２に固定されている。ピン部５８４は、直径拡大部５８３と、本体部８５とから構成される。ピン部の直径拡大部５８３は、ガイドピン部の他端部を構成し、その直径の大きさは、ガイド長孔５６の幅より広い大きさを有する。
【００４５】
前記ピン部の本体部５８５は、ガイドピン部５８の一端部と他端部とを連結する本体部を構成する。本体部５８５は、ガイド長孔５６を貫くように構成される。
【００４６】
また、本実施例の場合、ガイドピン部５８には、本体部５８５の外側面に、ベアリング部材５８７がさらに具備されている。ベアリング部材５８７は、ガイド長孔５６の内側面と接触するように構成されており、ガイドピン部５８がガイド長孔５６内で移動することがさらにソフトに行われる。ワッシャ５８２は、ねじ部５８１に挟まれて固定される。
【００４７】
一方、本実施形態の場合、弾性支持部６０と傾斜部６２とをさらに具備する。
【００４８】
前記弾性支持部６０は、第２フレームが第１フレームと対面する面に具備される。弾性支持部６０は、第１フレームを弾性的に支持する。
【００４９】
弾性支持部６０は、凹状の溝部６０１と、その溝部６０１に具備された弾性部材６０３と、その弾性部材６０３によって弾性支持されるボール（ball）部材６０５とを含んで構成されている。ボール部材６０５は、弾性部材６０３に接するボールホルダ６０４に収容される。
【００５０】
前記傾斜部６２は、図４に仮想線で表示されている。図４の円弧ＶIII−ＶIIIに沿う概念的な断面図である図８を参照すれば、傾斜部６２は、その突出高が円弧に沿ってだんだんと右側に行きながら大きくなるようになっている。突出高及び傾斜面の傾斜の程度は、弾性を考慮し、照明部の重さなどを考慮して適切に調節することができる。
【００５１】
弾性支持部６０が具備された第２フレーム５４が、第１フレーム５２に対して回動を行えば、弾性支持部６０が、移動する円弧状の移動軌跡に沿って突設された傾斜部６２の傾斜面６２１によって、ボール部材６０５が弾性部材６０３の弾性力に打ち勝ちつつ押される。弾性部材６０３の弾性力による力は、照明部などの重さによる力と平衡をなし、第２フレーム５４の位置は、移動時にも常に安定して維持される。
【００５２】
本実施形態の場合、第２棒部材３０と第１棒部材２０とのなす角度が小さくなるように、第２フレーム５４が第１フレーム５２に対して回転すれば、傾斜部６２の傾斜面６２１は、だんだんと高さが高くなるように形成され、弾性支持部の弾性部材６０３をさらに圧迫するように構成されている。
【００５３】
すなわち、第２棒部材３０が水平から下降すれば、弾性部材６０３がさらに圧縮されるように構成されている。かような構成により、第２棒部材５４は、いかなる位置でも、安定しているのはもとより、ユーザが水平より下にあった第２棒部材５４を上に上げれば、弾性部材６０３の助けを受け、小さい力で移動が可能になる。
【００５４】
なお、他の実施形態の場合、弾性支持部と傾斜部との形成位置は、必要により、第１フレーム及び第２フレームの間に変更されることも可能であり、具備された個数の変更も可能である。
【００５５】
以下、前述の構成を有する照明装置１の作用及び効果について説明する。
【００５６】
本実施形態の照明装置１、第１フレーム５２及び第２フレーム５４、ガイド長孔５６及びガイドピン部５８を含んで構成された中間連結部５０を具備しているので、正確に相互動作が所望角度内でのみ行われるようにすることが可能であるという長所がある。
【００５７】
ガイドピン部５８が前述のように、ベアリングなどを具備しているために、第１フレーム及び第２フレーム間の動きがソフトに行われるという長所がある。
【００５８】
また、本実施形態の場合、弾性支持部６０と傾斜部６２とを具備しているために、第２棒部材３０の上下方向の動きが、小さい力でもソフトに行われることが可能であり、所望の地点に安定して維持することも可能であるという長所がある。
【００５９】
すなわち、第２棒部材３０に具備された照明部４０が、上に移動すれば、弾性支持部に接する傾斜部の部分が、低い高さの部分に移動し、弾性部材６０３の圧縮量がだんだんと小さくなり、照明部４０が下に移動すれば、弾性支持部に接する傾斜部の部分が高い高さを有する部分に移動し、弾性部材６０３の圧縮量がだんだんと大きくなる。かような弾性部材を含んだ弾性支持部の弾性力と、照明部を含んだ部分の重さとが、相互に力の平衡をなし、結局、照明部の位置を変更するにあたり、従来の中間連結部を具備した照明装置とは、比較することができないほどの柔らかさと便利さとを感じることができるのである。
【図２】
0005941552.tif 000002
【図３】
0005941552.tif 000003
【図４】
0005941552.tif 000004
【図５】
0005941552.tif 000005
【図６】
0005941552.tif 000006
【図７】
0005941552.tif 000007
【図８】
0005941552.tif 000008
【図９】
0005941552.tif 000009
【図１】
0005941552.tif 000010